(57)【要約】【課題】ユーザによる評価時間の短縮及び評価作業の負担軽減を実現することができる医用情報処理装置及び医用情報処理方法を提供する。【解決手段】実施形態に係る医用情報処理装置１は、被検体に取り付け可能な人工関節デバイスに関する情報を読み込む読込部３と、読み込んだ人工関節デバイスに関する情報を用いて、被検体に取り付け可能な人工関節デバイスの候補を複数の人工関節デバイスの中から抽出するアライメント評価モジュール４ｃと、被検体に人工関節デバイスを取り付けたときの応力分布を検討し、前述の人工関節デバイスの候補を絞り込む有限要素解析モジュール４ｅと、絞り込んだ人工関節デバイスの候補を提示する表示モジュール４ｆとを備える。【選択図】図１
2014213125.tif 000002
【特許請求の範囲】
【請求項１】
被検体に取り付け可能な人工関節デバイスに関する情報を読み込む読込部と、
前記読込部により読み込まれた前記人工関節デバイスに関する情報を用いて、前記被検体に取り付け可能な人工関節デバイスの候補を複数の人工関節デバイスの中から抽出する抽出処理部と、
前記被検体に人工関節デバイスを取り付けたときの応力分布を検討し、前記抽出処理部により抽出された前記人工関節デバイスの候補を絞り込む解析処理部と、
前記解析処理部により絞り込まれた前記人工関節デバイスの候補を提示する提示処理部と、
を備えることを特徴とする医用情報処理装置。
【請求項２】
前記人工関節デバイスに関する情報を記憶する記憶部をさらに備え、
前記読込部は、前記記憶部から前記人工関節デバイスに関する情報を読み込むことを特徴とする請求項１に記載の医用情報処理装置。
【請求項３】
前記被検体の医療画像情報を基に、その被検体の関節に関するパラメータを計測する計測処理部をさらに備え、
前記抽出処理部は、前記読込部により読み込まれた前記人工関節デバイスに関する情報に加え、前記計測処理部により計測された前記パラメータを用いて、前記被検体に取り付け可能な人工関節デバイスの候補を前記複数の人工関節デバイスの中から抽出することを特徴とする請求項１又は請求項２に記載の医用情報処理装置。
【請求項４】
前記解析処理部は、絞り込んだ前記人工関節デバイスの候補の適合順位を決定し、
前記提示処理部は、前記解析処理部により絞り込まれた前記人工関節デバイスの候補を前記適合順位と共に提示することを特徴とする請求項１ないし請求項３のいずれか一項に記載の医用情報処理装置。
【請求項５】
前記解析処理部は、絞り込んだ前記人工関節デバイスの候補の適合順位として、前記応力分布の最大値が小さく前記応力分布の一様性が高い順番を決定することを特徴とする請求項４に記載の医用情報処理装置。
【請求項６】
被検体に取り付け可能な人工関節デバイスに関する情報を読み込むステップと、
読み込んだ前記人工関節デバイスに関する情報を用いて、前記被検体に取り付け可能な人工関節デバイスの候補を複数の人工関節デバイスの中から抽出するステップと、
前記被検体に人工関節デバイスを取り付けたときの応力分布を検討し、抽出した前記人工関節デバイスの候補を絞り込むステップと、
絞り込んだ前記人工関節デバイスの候補を提示するステップと、
を有することを特徴とする医用情報処理方法。
【請求項７】
前記人工関節デバイスに関する情報を記憶部に保存するステップをさらに有し、
前記人工関節デバイスに関する情報を読み込むステップでは、前記記憶部から前記人工関節デバイスに関する情報を読み込むことを特徴とする請求項６に記載の医用情報処理方法。
【請求項８】
前記被検体の医療画像情報を基に、その被検体の関節に関するパラメータを計測するステップをさらに有し、
前記被検体に取り付け可能な人工関節デバイスの候補を抽出するステップでは、読み込んだ前記人工関節デバイスに関する情報に加え、計測した前記パラメータを用いて、前記被検体に取り付け可能な人工関節デバイスの候補を前記複数の人工関節デバイスの中から抽出することを特徴とする請求項６又は請求項７に記載の医用情報処理方法。
【請求項９】
前記人工関節デバイスの候補を絞り込むステップでは、絞り込んだ前記人工関節デバイスの候補の適合順位を決定し、
前記人工関節デバイスの候補を提示するステップでは、絞り込んだ前記人工関節デバイスの候補を前記適合順位と共に提示することを特徴とする請求項６ないし請求項８のいずれか一項に記載の医用情報処理方法。
【請求項１０】
前記人工関節デバイスの候補を絞り込むステップでは、絞り込んだ前記人工関節デバイスの候補の適合順位として、前記応力分布の応力値が小さく前記応力分布の一様性が高い順番を決定することを特徴とする請求項９に記載の医用情報処理方法。
【発明の詳細な説明】
【技術分野】
【０００１】
本発明の実施形態は、医用情報処理装置及び医用情報処理方法に関する。
【背景技術】
【０００２】
近年、Ｘ線ＣＴ装置やＭＲＩ装置などの医療用断層画像診断装置が普及してきており、それらを用いて身体各部の観察及び診断を行うことが可能となってきている。一方、日本のみならず世界的な高齢化に伴い、変形性関節症は増加の一途をたどっており、患部である関節（例えば、股関節や膝関節など）を人工的な金属やセラミックス製の人工関節に置き換える人工関節置換術が広く普及している。この人工関節置換術で重要なことは、患者に最適の形状とサイズを持つ人工関節を最適の角度及び位置に設置し、人工関節と自家骨での応力集中を避けることである。
【０００３】
人工関節置換術の手術計画では、Ｘ線ＣＴ（Ｃｏｍｐｕｔｅｄ  Ｔｏｍｏｇｒａｐｈｙ）装置やＭＲＩ（Ｍａｇｎｅｔｉｃ  Ｒｅｓｏｎａｎｃｅ  Ｉｍａｇｉｎｇ）装置で取得した三次元ボリューム画像と人工関節の三次元形状テンプレートをコンピュータ上に読み込み、骨軸や関節の隙間を幾何学的に解析しているのが現状である。ところが、この幾何学的な人工関節のアライメント解析のみで人工関節置換術の手術計画を行うと、応力集中を見逃し、人工関節置換後に骨折が発生する可能性がある。このため、医師や技師などのユーザは、人工関節テンプレートを手作業で繰り返し選択し、時間をかけて慎重に評価作業を行っているが、これによって評価時間が長くなり、また、その評価作業がユーザにとって多大な負荷となっている。
【先行技術文献】
【特許文献】
【０００４】
【特許文献１】特開２００９−１８０６５号公報
【特許文献２】特開２００９−１９５４９０号公報
【発明の概要】
【発明が解決しようとする課題】
【０００５】
本発明が解決しようとする課題は、ユーザによる評価時間の短縮及び評価作業の負担軽減を実現することができる医用情報処理装置及び医用情報処理方法を提供することである。
【課題を解決するための手段】
【０００６】
実施形態に係る医用情報処理装置は、被検体に取り付け可能な人工関節デバイスに関する情報を読み込む読込部と、読込部により読み込まれた人工関節デバイスに関する情報を用いて、被検体に取り付け可能な人工関節デバイスの候補を複数の人工関節デバイスの中から抽出する抽出処理部と、被検体に人工関節デバイスを取り付けたときの応力分布を検討し、抽出処理部により抽出された人工関節デバイスの候補を絞り込む解析処理部と、解析処理部により絞り込まれた人工関節デバイスの候補を提示する提示処理部とを備える。
【０００７】
実施形態に係る医用情報処理方法は、被検体に取り付け可能な人工関節デバイスに関する情報を読み込むステップと、読み込んだ人工関節デバイスに関する情報を用いて、被検体に取り付け可能な人工関節デバイスの候補を複数の人工関節デバイスの中から抽出するステップと、被検体に人工関節デバイスを取り付けたときの応力分布を検討し、抽出した人工関節デバイスの候補を絞り込むステップと、絞り込んだ人工関節デバイスの候補を提示するステップとを有する。
【図面の簡単な説明】
【０００８】
【図１】実施の一形態に係る医用情報処理装置の概略構成を示すブロック図である。
【図２】実施の一形態に係る医用情報処理の流れを説明するための説明図である。
【図３】実施の一形態に係る大腿骨軸の導出を説明するための説明図である。
【図４】実施の一形態に係る大腿骨頚軸及び大腿骨頭径の導出を説明するための説明図である。
【図５】実施の一形態に係る大腿骨軸と大腿骨頚軸の成す角及び大腿骨頚長の導出を説明するための説明図である。
【図６】実施の一形態に係る応力解析結果の表示を説明するための説明図である。
【発明を実施するための形態】
【０００９】
実施の一形態について図面を参照して説明する。
【００１０】
図１に示すように、実施形態に係る医用情報処理装置１は、各種情報を記憶する記憶部２と、その記憶部２からデータ（情報）を読み込む読込部３と、読み込んだデータに対して各種処理を行う処理部４と、各種情報を表示する表示部５と、ユーザ（利用者）からの入力操作を受け付ける入力部６とを備えている。
【００１１】
記憶部２は、人工関節デバイステンプレートを管理する人工関節デバイステンプレートデータベース２ａと、降伏応力と骨密度との関係を定義する降伏応力−骨密度定義テーブル２ｂと、三次元の骨形状のデータである三次元骨形状データ２ｃと、三次元の骨密度のデータである三次元骨密度データ２ｄとを有している。これらの三次元骨形状データ２ｃ及び三次元骨密度データ２ｄは、Ｘ線ＣＴ装置（あるいはＭＲＩ装置など）により撮影された三次元ボリュームデータから得られるデータである。なお、記憶部２としては、例えば、大容量のＨＤＤ（ハードディスクドライブ）やＳＳＤ（ソリッドステートドライブ）などを用いることが可能である。
【００１２】
読込部３は、人工関節デバイステンプレートデータベース２ａからデバイステンプレートを読み込むデバイステンプレート読込モジュール３ａと、降伏応力−骨密度定義テーブル２ｂを読み込む定義テーブル読込モジュール３ｂと、三次元骨形状データ２ｃ及び三次元骨密度データ２ｄを検査結果データ（医療画像に関する医療画像情報）として読み込む検査結果データ読込モジュール３ｃとを有している。
【００１３】
処理部４は、被検体の所定部位の骨を皮質骨及び海綿骨に区分するセグメンテーションモジュール（区分処理部）４ａと、関節に関するパラメータを計測する計測モジュール（計測処理部）４ｂと、人工関節デバイステンプレートデータベース２ａから適合する人工関節デバイスを抽出するアライメント評価モジュール（抽出処理部）４ｃと、有限要素モデルを作成する有限要素作成モジュール（作成処理部）４ｄと、有限要素モデルに対して有限要素解析を行う有限要素解析モジュール（解析処理部）４ｅと、応力解析結果の表示処理を行う表示モジュール（提示処理部）４ｆとを有している（詳しくは、後述する）。
【００１４】
なお、前述のセグメンテーションモジュール４ａ、計測モジュール４ｂ、アライメント評価モジュール４ｃ、有限要素作成モジュール４ｄ、有限要素解析モジュール４ｅ及び表示モジュール４ｆは、電気回路などのハードウエアで構成されても良く、あるいは、これらの機能を実行するプログラムなどのソフトウエア（例えば、アプリケーションなど）で構成されても良く、また、ハードウエア及びソフトウエアの両方の組合せにより構成されても良い。
【００１５】
表示部５は、応力解析結果画像や操作ボタン（例えば、操作者からの各種指示を入力するためのＧＵＩ（グラフィカルユーザインターフェース））などの各種画像を表示する表示デバイスである。この表示部５としては、例えば、液晶ディスプレイや有機ＥＬ（エレクトロルミネッセンス）ディスプレイなどを用いることが可能である。
【００１６】
入力部６は、医師や技師などのユーザである操作者により入力操作される操作部であり、例えば、データ選択や体重の入力、人工関節デバイスの選択、各種設定など、様々な入力操作を受け付ける。この入力部６としては、例えば、ボタンやキーボード、ＧＵＩなどの入力デバイスを用いることが可能である。
【００１７】
このような医用情報処理装置１は、Ｘ線ＣＴ画像などの医療画像情報を基に、骨組織を抽出し三次元の下肢モデルを作成し、幾何学条件を満たす人工関節デバイスを候補として挙げ、それらの候補に対して力学解析を実施し、最も応力集中が小さい人工関節デバイスあるいはその人工関節デバイスを含む既定数の人工関節デバイスを表示して提示する。
【００１８】
この一連の提示処理について図２を参照して説明する。なお、医用情報処理装置１は、前段階として、Ｘ線ＣＴ装置により得られた医療画像情報を基に、骨組織を抽出し、三次元の関節の幾何学モデル、すなわち三次元骨形状データ２ｃを作成して記憶部２に記憶している。さらに、医用情報処理装置１は、ＱＣＴ（Ｑｕａｎｔｉｔａｔｅｄ  Ｃｏｍｐｕｔｅｄ  Ｔｏｍｏｇｒａｐｈｙ）法を用いてボクセル毎の骨密度を測定し、三次元骨密度データ２ｄを作成して記憶部２に記憶している。
【００１９】
図２に示すように、入力部６は、ユーザによる入力操作により関節の種類（例えば、股関節や膝関節など）が特定されると、その特定により選択された三次元骨形状データ及び三次元骨密データを有限要素解析モジュール４ｅに知らせ、さらに、ユーザによる入力操作により入力された上肢体重や選択されたデバイス材質なども有限要素解析モジュール４ｅに知らせる（ステップＳ１）。
【００２０】
有限要素解析モジュール４ｅは、ステップＳ１の報知に応じて、当該データの読込を読込部３に要求する（ステップＳ２）。この要求に応じて、読込部３の検査結果データ読込モジュール３ｃは、該当する三次元骨形状データ及び三次元骨密データを読み込む（ステップＳ３）。
【００２１】
セグメンテーションモジュール４ａは、ステップＳ３で読み込まれた三次元骨形状データに対して、ＣＴ値及びテクスチャを基に、皮質骨と海綿骨のセグメンテーションを行う（ステップＳ４）。このとき、セグメンテーションモジュール４ａは、ＣＴ値及び海綿骨の特徴となる骨梁のテクスチャ解析を実施し、海綿骨と皮質骨を判別する。さらに、皮質骨内部で骨端部の径や最小径部などを計測し、皮質骨と骨端部との境界となるテーパを算出する。
【００２２】
計測モジュール４ｂは、予め定めておいたランドマーク（目印）を基準に、被検体の既定箇所の寸法を計測する（ステップＳ５）。この既定箇所は、被検体の関節に人工関節デバイスを設置可能（埋込可能）であるか否かを判定するために予め設定されている計測対象箇所である（詳しくは、後述する）。
【００２３】
アライメント評価モジュール４ｃは、ステップＳ５で計測された既定箇所の寸法及び予め定めた許容範囲を基に、関節に設置可能な人工関節デバイスのテンプレートの読込を読込部３に要求する（ステップＳ６）。このとき、アライメント評価モジュール４ｃは、人工関節デバイステンプレートデータベース２ａから、皮質骨の内径を初めとする幾何学情報に合致する人工関節デバイスのテンプレートを候補として抽出し、その抽出した人工関節デバイスのテンプレートの読込を読込部３に要求する。
【００２４】
読込部３のデバイステンプレート読込モジュール３ａは、ステップＳ６の要求に応じて、該当する寸法の人工関節デバイスの三次元テンプレートを読み込む（ステップＳ７）。
【００２５】
アライメント評価モジュール４ｃは、三次元形状モデルのランドマークを基に、ステップＳ７で読み込まれた人工関節デバイスをモデル上に埋設し、アライメントを評価し、デバイス候補の絞り込みを行う（ステップＳ８）。このとき、アライメント評価モジュール４ｃは、候補の人工関節テンプレートに対して、幾何学的に骨軸を自動抽出し、骨切り面の位置及び角度などを決定して用いる。
【００２６】
有限要素作成モジュール４ｄは、当該人工関節デバイスと骨を分割した上で、メッシュを切って有限要素を作成し、力学的なパラメータの読込を読込部３に要求する（ステップＳ９）。このとき、有限要素作成モジュール４ｄは、前述の幾何学モデルから、テトラ又はヘキサの要素にメッシュを切る処理を行う。
【００２７】
読込部３の定義テーブル読込モジュール３ｂは、ステップＳ９の要求に応じて、降伏応力−骨密度定義テーブル２ｂを読み込み、さらに、読込部３のデバイステンプレート読込モジュール３ａは、人工関節デバイステンプレートデータベース２ａから力学的パラメータを読み込む（ステップＳ１０）。
【００２８】
有限要素作成モジュール４ｄは、ステップＳ１０で読み込まれた降伏応力−骨密度定義テーブル２ｂ及び力学的パラメータを用いて、ＱＣＴ法で測定したボクセル毎の骨密度の分布に応じた生体パラメータを設定し、有限要素モデルを作成する（ステップＳ１１）。
【００２９】
有限要素解析モジュール４ｅは、体重を境界条件として与え、例えば仙骨に上肢加重分の圧縮応力を境界条件として負荷し、有限要素解析を行い、骨及び人工関節デバイスの応力分布を解析する（ステップＳ１２）。
【００３０】
さらに、有限要素解析モジュール４ｅは、骨の降伏応力に安全率をかけた値以下の応力分布の人工関節デバイスに候補を絞り込み、加えて、応力分布の一様性が高いデバイス群から既定数の人工関節デバイスを順位と共に抽出する（ステップＳ１３）。
【００３１】
表示モジュール４ｆは、ステップＳ１３で抽出された人工関節デバイスとその応力分布を表示部５に表示する（ステップＳ１４）。例えば、表示モジュール４ｆは、応力集中などにより骨の破壊強度を超過する箇所を色分けして（あるいは色の濃淡を変えて）表示する。これにより、皮質骨及び海綿骨と、人工関節のテンプレートとの境界面で、応力集中が最も小さくなる人工関節デバイスをユーザに提示することが可能となる。
【００３２】
このような一連の提示処理によれば、応力集中が小さい人工関節デバイスやそのアライメントを自動的に抽出し、ユーザに提示することによって、人工関節デバイスの候補の絞り込みを自動化し、人工関節置換術の手術計画に掛る時間を短縮することが可能となる。通常、ユーザが手作業で人工関節テンプレートを選択して評価するため、多大な時間が掛かっていたが、前述ように応力集中が小さい人工関節を自動的にユーザに提示することで、評価時間の短縮さらに評価作業の負担軽減を実現することができる。
【００３３】
次に、前述の計測モジュール４ｂにおける既定箇所の寸法計測について図３ないし図５を参照して詳しく説明する。計測モジュール４ｂは、下記の既定箇所のパラメータを導出し、アライメント評価モジュール４ｃに引き渡す。なお、ここでは、一例として、人工股関節置換術の手術計画に係る既定箇所の寸法計測について説明する。前提としては、骨盤及び大腿骨を抽出した三次元ボリュームデータが存在している。
【００３４】
大腿骨軸の導出では、図３に示すように、大腿骨において、既定の二断面の重心Ａ１及びＡ２を結ぶ直線Ｌ１を作成し、大腿骨軸とする。例えば、大腿骨を長手方向に三等分する断面Ｍ１及びＭ２における大腿骨の断面重心Ａ１及びＡ２を導出し、これらの二点Ａ１及びＡ２を結ぶ直線Ｌ１を大腿骨軸とする。
【００３５】
大腿骨頚軸の導出では、図４に示すように、前述の大腿骨の骨軸の導出と同様、既定の二断面の重心Ｂ１及びＢ２を結ぶ直線Ｌ２を大腿骨頚軸とする。例えば、大腿骨軸（直線Ｌ１）に垂直な断面を作成し、連続的に断面が広がる方向を大腿骨頸骨が延びる方向とし、大腿骨が延びる方向に垂直な断面Ｍ３及びＭ４を作成する。大腿骨頚部の面積が減少傾向から、増加傾向に変わる断面Ｍ３の重心Ｂ１と、増加の割合が著しく増加する断面の最小となる断面Ｍ４の重心Ｂ２とを結ぶ直線Ｌ２を作成し、大腿骨頚軸とする。
【００３６】
大腿骨頭径の導出では、図４に示すように、大腿骨頚軸（直線Ｌ２）に垂直な面に、大腿骨頭を射影した像（ＭＩＰ像）を作成し、射影像を含む最小円の半径ｒを導出し、大腿骨頭径とする。なお、大腿骨頚軸（直線Ｌ２）に垂直な断面上に大腿骨頚軸を中心とする半径rの円を描き、この円と接する大腿骨頚（外周）を有する断面を算出し、中心座標をＢ３とする。
【００３７】
大腿骨軸と大腿骨頚軸の成す角の導出では、図５に示すように、大腿骨軸（直線Ｌ１）と中心座標Ｂ３を含む断面に大腿骨頚軸（直線Ｌ２）を射影した直線Ｌ３を大腿骨頚射影軸とし、その大腿骨頚射影軸（直線Ｌ３）と大腿骨軸（直線Ｌ１）の成す角αを求める。さらに、大腿骨頚長の導出では、大腿骨軸（直線Ｌ１）と大腿骨頚射影軸（直線Ｌ３）との交点Ｃ１から中心座標Ｂ３までの距離ｌを大腿骨頚長とする。
【００３８】
次いで、前述の寸法計測結果を用いた埋設可能な人工股関節デバイス候補の選定、さらに、有限要素モデルの作成、力学解析による人工股関節デバイス候補の更なる絞り込み及び人工股関節デバイス候補の表示について説明する。
【００３９】
アライメント評価モジュール４ｃは、ユーザにより入力された関節部位（股関節や膝関節、肩関節、など）、材質あるいはコーティングなどの条件に加え、前述の計測モジュール４ｂから引き渡されたｒ、ｌ、α及び大腿骨髄内径と許容量をキーとして、人工関節デバイステンプレートデータベース２ａから合致する人工股関節デバイスを抽出する。なお、可動範囲の解析や検証については、公開されている技術を用いて行い、人工股関節デバイス候補の絞り込みを行う。
【００４０】
有限要素作成モジュール４ｄは、アライメント評価モジュール４ｃにより抽出された人工股関節デバイス候補と骨の三次元モデルを作成し、大腿骨及び骨盤のそれぞれの骨密度に対応する降伏応力を降伏応力−骨密度定義テーブル２ｂから読み込み、さらに、人工股関節デバイスの物性パラメータを人工関節デバイステンプレートデータベース２ａから読み込んで有限要素モデルを作成し、有限要素解析モジュール４ｅに引き渡す。
【００４１】
有限要素解析モジュール４ｅは、上記有限要素モデルに対し、上半身耐荷重を仙骨部分に対する圧力条件とし、大腿骨下端部を固定という境界条件を負荷し、既存技術（例えば、有限要素解析法ＣＡＥ（Ｃｏｍｐｕｔｅｒ  Ａｉｄｅｄ  Ｅｎｇｉｎｅｅｒｉｎｇ）を中心とする解析ソフトウエア群など）を用いて有限要素解析を行う。さらに、有限要素解析モジュール４ｅは、解析後の応力分布から、大腿骨の降伏応力を既定の安全率で除した値を超過していないデバイスを絞り込み、加えて、応力分布の一様性の高いデバイスから順位付けを行い、ユーザが指定した候補数の人工股関節デバイスの三次元画像と応力分布を表示モジュール４ｆに引き渡す。
【００４２】
表示モジュール４ｆは、大腿骨の三次元画像に人工股関節デバイスを重ね合わせて応力分布と共に表示する。その際、ステムの長手軸と大腿骨軸、ステムの大腿骨頚軸と大腿骨頚射影軸とが一致するように配置して表示を行う。さらに、表示モジュール４ｆは、適合順位を付加して表示する。
【００４３】
例えば、図６に示すように、三つの候補の人工股関節デバイスＤ１がそれぞれ大腿骨Ｄ２の三次元画像に重ね合わされ、左から１番、２番及び３番という順番の適合順位で並べられて表示部５に表示される。これらの人工股関節デバイスＤ１は、ステムＤ１ａ及びソケット（カップ）Ｄ１ｂにより構成されており、ステムＤ１ａの長手軸と大腿骨Ｄ２の大腿骨軸が一致し、さらに、ステムＤ１ａの大腿骨頚軸と大腿骨Ｄ２の大腿骨頚射影軸とが一致するように大腿骨Ｄ２の三次元画像に重ね合わされて表示される。また、適合順位を示す「１ｓｔオプション」や「２ｎｄオプション」、「３ｒｄオプション」なども表示され、さらに、応力分布も大腿骨Ｄ２の三次元画像に重ね合わされて表示される。加えて、デバイス毎の最大応力値が表示され、その位置も矢印により指し示される。
【００４４】
これにより、ユーザは三つの候補の中から使用する人工股関節デバイス、例えば適合順位が一番である「１ｓｔオプション」の人工股関節デバイスを選択することになる。このように、応力集中が小さいという条件に合致した人工股関節デバイスの候補を自動的に絞り込み、適合順位を付加して表示することによって、ユーザは候補の中から使用する人工股関節デバイスを選択するだけで良くなるため、ユーザによる評価作業の負担を軽減することが可能となり、さらに、ユーザによる評価時間を短縮することが可能となる。また、応力分布、すなわち応力集中を可視化することによって、評価作業の負担軽減や評価時間の短縮をより確実に実現することができる。
【００４５】
なお、図６では、応力分布における応力（値）の大きさを色が濃くなるほど大きいものとしているが、これに限るものではなく、その逆で色が淡くなるほど大きいものとしても良く、あるいは、各種の色を用い、応力の大きさに応じて色を変えて応力の大きさを表すようにしても良く（カラー表示）、さらに、カラー表示と色の濃淡を組み合わせて応力の大きさを表すようにしても良い。
【００４６】
以上説明したように、実施形態によれば、人工関節デバイスに関する情報及び被検体の関節に関するパラメータを用いて、被検体に取り付け可能な（例えば股関節や膝関節などの関節に設けることが可能な）人工関節デバイスの候補を複数の人工関節デバイスの中から抽出し、その後、被検体に人工関節デバイスを取り付けたときの（例えば股関節や膝関節などの関節に人工関節デバイスを設けたときの）応力分布を検討し、抽出した人工関節デバイスの候補を絞り込み、絞り込んだ人工関節デバイスの候補を提示する。これにより、応力分布に基づいた人工関節デバイスの候補を自動的に絞り込んでユーザに提示することが可能となるので、ユーザによる評価作業の負担軽減及び評価時間の短縮を実現することができる。
【００４７】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４８】
１    医用情報処理装置
２    記憶部
３    読込部
４    処理部
４ｂ  計測モジュール
４ｃ  アライメント評価モジュール
４ｅ  有限要素解析モジュール
４ｆ  表示モジュール
【図１】
2014213125.tif 000003
【図２】
2014213125.tif 000004
【図３】
2014213125.tif 000005
【図４】
2014213125.tif 000006
【図５】
2014213125.tif 000007
【図６】
2014213125.tif 000008